(57)【要約】【課題】インテリアとしての高いデザイン性を備えるだけでなく、日めくりカレンダー特有の毎日の更新作業が気分転換の効果を発揮するような、従来にないユニークな卓上カレンダーを提供する。【解決手段】フレームと、日・月・曜日毎のステンシルカードのセットとから成り、フレーム上に各ステンシルカードのセットをセット毎に重ねて載置可能とし、ステンシルカードは、少なくとも、１日から３１日までの３１枚の日カードのセット、１月から１２月までの１２枚の月カードのセット、日曜日から土曜日までの７枚の曜日カードのセットの３セットから構成する。【選択図】図１２
2018202813.tif 000002
【特許請求の範囲】
【請求項１】
フレームと、日・月・曜日毎のステンシルカードのセットとから成る卓上カレンダーであって、前記フレーム上に各ステンシルカードのセットをセット毎に重ねて載置可能としたことを特徴とする卓上カレンダー。
【請求項２】
前記各ステンシルカードのセットは、それぞれ複数種類の色彩の単色のステンシルカードから構成したことを特徴とする、請求項１に記載の卓上カレンダー。
【発明の詳細な説明】
【技術分野】
【０００１】
本発明は、卓上カレンダーに関し、より詳細には、インテリア製品としての高いデザイン性を備えた、いわゆる日めくり方式の卓上カレンダーに関する。
【背景技術】
【０００２】
卓上カレンダーには、ひと月単位１２カ月分のカレンダー用紙を月ごとに交換していく月めくり方式のものと、１日単位のカレンダー用紙を毎日交換していく日めくり方式のものがある。前者のものとしては、特許文献１に記載の卓上カレンダーの如く、支持体に１２カ月分のカレンダー用紙を重ねて回動可能に取り付けたものや、特許文献２に記載の卓上カレンダーの如く、薄箱状のケースに収納したカレンダー用紙をケースの一部によって起立させて毎月入れ替えるものが一般的であり、装飾性や広告効果を発揮させるために、カレンダー用紙自体あるいは支持体やケースに装飾体や広告文面を付加したものも多数提案されている。一方、後者のものは、古くから知られる壁掛け型の日めくり方式カレンダーを卓上で使用可能としたものが多く、特許文献３に記載の日めくり式カレンダーのように装飾体を付加した台紙上にカレンダー用紙を取り付けて起立させるものや、特許文献４に記載の両面使用可能な卓上カレンダーのように、卓上に平置きする支持台にカレンダー用紙を装着したものが提案されている。
【特許文献１】特開２０１０−５９３７号公報
【特許文献２】登録実用新案第３２００３２４号公報
【特許文献３】特開２００１−１８０１５１号公報
【特許文献４】登録実用新案第３０４９０１２号公報
【０００３】
月めくり方式の卓上カレンダーは、カレンダー用紙の枚数が少ないためコンパクトに形成できるほか、ひと月全体の予定を一覧できるという利点があるが、一日当りの記入欄は小さくならざるを得ず、記入できる情報量には限度がある。一方、日めくり方式の卓上カレンダーは、一日当りの記入欄を大きく取れるため情報量が大きいが、１年分のカレンダー用紙を積層する構造上、嵩張るという問題がある。また、いずれの方式でも、卓上での占有スペースを考慮すれば、カレンダー用紙自体やその支持体・ケースの装飾の余地は限られるため、全体としては似たような形とならざるを得ず、インテリアとしての高いデザイン性を備えたものはほとんどなかった。
【０００４】
一方、近年では、システム手帳やパソコン、スマートフォンといったカレンダー機能やスケジュール管理機能を備えた製品が普及していることから、従来の紙製のカレンダーによる情報管理のニーズは小さくなっている。そのため、卓上カレンダーには、今日が何月何日何曜日かを確認して意識させる程度の役割と、インテリアとしてより洗練されたデザインが求められるようになっているといえる。また、日めくりカレンダーは、使用者が毎日、自らの手でカレンダー用紙を更新して新しい一日への切り替わりを設定するものであるが、かかる単純・単調な作業が気分転換となるようなデザインが求められる。
【発明の開示】
【発明が解決しようとする課題】
【０００５】
本発明は、こうした卓上カレンダーに対するニーズの変化を踏まえ、インテリアとしての高いデザイン性を備えるだけでなく、日めくりカレンダー特有の毎日の更新作業が気分転換の効果を発揮するような、従来にないユニークな卓上カレンダーを提供することを課題とする。
【課題を解決するための手段】
【０００６】
上記の課題を解決するために、本発明の請求項１に記載した卓上カレンダーは、フレームと、日・月・曜日毎のステンシルカードのセットとから成り、フレーム上に各ステンシルカードのセットをセット毎に重ねて載置可能としたことを特徴とする。使用者は毎日、当日の日付・曜日に当たるカードが最前面になるようにカードを並べ替え、月が替わった際には、月カードを同様に並べ替えて使用する。
【０００７】
前記ステンシルカードは、カードに文字を印刷するのではなく、文字の形を切り抜いて背後を透視できるようにしたカードであり、少なくとも、１日から３１日までの３１枚の日カードのセット、１月から１２月までの１２枚の月カードのセット、日曜日から土曜日までの７枚の曜日カードのセットの３セットから構成する。なお、月カードの文字は「１」から「１２」までの数字のほか、たとえば「Ｊａｎｕａｒｙ（Ｊａｎ．）」から「Ｄｅｃｅｍｂｅｒ（Ｄｅｃ．）」までの英語その他の言語などでも良い。また、曜日カードの文字も「日」から「土」までの漢字のほか、「Ｓｕｎｄａｙ（Ｓｕｎ.）」から「Ｓａｔｕｒｄａｙ（Ｓａｔ.）」までの英語あるいはその他の言語などでも良い。
【０００８】
また、フレームは、その具体的な形状や大きさは限定されないが、日カード、月カード、曜日カードのセットを、それぞれ重ねた状態で別々に載置可能な構造とする。ステンシルカードを重ねて載置することにより、カードの切り抜き孔を透して２枚目以降のカードの表面及び切り抜き孔の縁線が重層的に露出して、複雑な立体構造の模様を形成するという特徴を有する。
【０００９】
次に、請求項２に記載した卓上カレンダーは、前記各ステンシルカードのセットを、それぞれ複数種類の色彩の単色のステンシルカードから構成したことを特徴とする。かかる構成により、ステンシルカードを重ねて載置した際には、カードの切り抜き孔を透して２枚目以降のカードの様々な色彩が組み合わさって露出するため、表面のカードの切り抜き文字の輪郭の中が多数の色で複雑な模様に彩色されているかのような視覚効果を奏するという特徴を有する。
【発明の効果】
【００１０】
本発明に係る卓上カレンダーは、日・月・曜日を表示させる機能のみを有するシンプルな日めくり式カレンダーであり、カードに予定を記入して情報管理する機能は有さない。しかし、毎日、ステンシルカードの順番を並べ替える都度、それぞれのカードの文字の中に複雑な立体模様や彩色が日替わりで使用者に予測不可能な形で現れるため、その意外性を楽しむことができ、日々デザインが変化するインテリア製品としての視覚的効果を奏するものである。
【発明を実施するための最良の形態】
【００１１】
以下、本発明の実施の形態について図１乃至１６を参照して説明する。図１は、本発明に係る卓上カレンダーの一実施形態のフレーム１の斜視図であり、図２はその正面図、図３は側面図、図４は背面図である。フレーム１は、底板１０が傾斜面１１を支持しており、傾斜面１１は上下二段のカード載置部１２、１３を備えている。上段のカード載置部１２はステンシルカード２の日カード２ａ用、下段のカード載置部１３は月カード２ｂ及び曜日カード２ｃ用とする。なお、実施形態における各ステンシルカードのセットの位置や配列は任意であり、フレーム自体も実施形態のような縦長型のほか、横長型としても良い。フレームの素材は特段限定されず、プラスティック等の合成樹脂や厚紙、木材等の板材を加工して構成可能であるが、特に、アルミ等の軽金属板材で製作すれば高級感が高まり好適である。
【００１２】
図５は、ステンシルカード２の各カードのセットの一部を例示した写真である。日カード２ａには日付の数字が、月カード２ｂ及び曜日カード２ｃには略記体の英文字の月名お呼び曜日名がそれぞれ切り抜かれている。また、各カードはランダムに異なる色彩としており、色彩の種類数は特に限定されないが、少なくとも曜日の数である７色を適用することが好適である。なお、日カードに切り抜く数字は、特に２桁の日付の場合、左側の「１」や「２」の数字が複数のカードで重なって単純な孔になってしまい、意匠的には単調になってしまう。このため、カードごとに２桁の数字をランダムに少しづつ斜め方向にずらせて切り抜くことで、表面のカード上の「１」や「２」の数字の輪郭内に背後のカードの数字の輪郭線が重層的に現れるようにすることが好ましい。
【００１３】
図６は、フレーム１にステンシルカード２を載置した状態の正面図であり、図７は、同側面図、図８は同背面図、図９は後方から見た斜視図である。最前面のカードの切り抜き孔を透して２枚目以降のカードの表面及び切り抜き孔の縁線が重層的に露出し、複雑な立体構造の模様を形成するとともに、最前面のカードの数字や文字の輪郭の中が多数の色で複雑な模様に彩色されているかのような視覚効果を奏する。また、側面及び背面からは載置されたカードのセットの断面が、ランダムに重なる多色の線の積層模様を描く形となる。
【００１４】
図１０乃至１２は、それぞれ異なる日付を表示した卓上カレンダーの正面写真である。日や月、曜日の文字の輪郭の中の模様や色彩がランダムに変化し、年間を通してすべての日に異なる意匠の文字が表示される。全体としては極めてシンプルなデザインでありながら、日々表情を変える点において、従来の卓上カレンダーにはなかった意外性とインテリアとしてのユニークさを発揮する。
【００１５】
図１３、図１４は、同じ構成でカードの色を白一色に統一したもの、図１５、図１６は同じくカードの色を黒一色に統一した場合の例を示す。白又は黒の一色に統一した場合、前述の文字の輪郭が多数の色彩で複雑に彩色されたかのような視覚的効果は有さないが、逆に文字の切り抜き孔の縁線が重層的に露出して複雑な立体構造の模様を形成する効果が強調されて、レリーフ調の奥行きのある文字デザインが生まれるため、落ち着いた高級感を発揮する。もちろん、カードの色は白・黒に限定されず、任意の色が適用可能である。これにより、使用者は室内のインテリアデザインやデスク等の調度品の色調に合わせて好みのタイプの卓上カレンダーを選択可能となる。なお、ステンシルカードは、本実施形態の如き日・月・曜日の３種類のセットに加え、西暦又は和暦の年号のセットを設けても良いし、必要に応じてその他の情報や広告宣伝のためのカードを追加したり、フレーム自体に各種メッセージや装飾物を付加しても良いが、文字の表示の意外性や変化の魅力を減殺しないためには、実施形態の如き最もシンプルな構成とすることが好適である。
【００１６】
以上、本発明に係る卓上カレンダーについて図面を参照しつつ説明したが、本発明は上記実施形態に限定されるものではなく、改良の目的又は本発明の技術的思想の範囲内において改良又は変更が可能であり、それらは本発明の技術的範囲に属する。
【産業上の利用可能性】
【００１７】
本発明は、基本的に日・月・曜日のみを表示する単機能に特化した卓上カレンダーである。スケジュール等の情報管理や広告宣伝の機能を敢えて捨象し、文字の造形的表示の意外性による遊び心とシンプルで高級感を感じさせる外観により、卓上にアクセントを与えるインテリア小物として利用可能である。
【図面の簡単な説明】
【００１８】
【図１】実施形態に係る卓上カレンダーのフレームの斜視図である。
【図２】実施形態に係る卓上カレンダーのフレームの正面図である。
【図３】実施形態に係る卓上カレンダーのフレームの右側面図である。
【図４】実施形態に係る卓上カレンダーのフレームの背面図である。
【図５】多色のステンシルカードの一例の写真である。
【図６】フレームにステンシルカードを載置した卓上カレンダーの正面図である。
【図７】フレームにステンシルカードを載置した卓上カレンダーの右側面図である。
【図８】フレームにステンシルカードを載置した卓上カレンダーの背面図である。
【図９】フレームにステンシルカードを載置した卓上カレンダーの背面斜視図である。
【図１０】多色のステンシルカードの適用した卓上カレンダーの一例の写真である。
【図１１】多色のステンシルカードの適用した卓上カレンダーの一例の写真である。
【図１２】多色のステンシルカードの適用した卓上カレンダーの一例の写真である。
【図１３】白色のステンシルカードの一例の写真である。
【図１４】白色のステンシルカードの適用した卓上カレンダーの一例の写真である。
【図１５】黒色のステンシルカードの一例の写真である。
【図１６】黒色のステンシルカードの適用した卓上カレンダーの一例の写真である。
【符号の説明】
【００１９】
１    フレーム
１０  底板
１１  傾斜面
１２  載置部（上段）
１３  載置部（下段）
２a、３a、４a  ステンシルカード（日カード）
２ｂ、３ｂ、４ｂ  ステンシルカード（月カード）
２ｃ、３ｃ、４ｃ  ステンシルカード（曜日カード）
【図１】
2018202813.tif 000003
【図２】
2018202813.tif 000004
【図３】
2018202813.tif 000005
【図４】
2018202813.tif 000006
【図５】
2018202813.tif 000007
【図６】
2018202813.tif 000008
【図７】
2018202813.tif 000009
【図８】
2018202813.tif 000010
【図９】
2018202813.tif 000011
【図１０】
2018202813.tif 000012
【図１１】
2018202813.tif 000013
【図１２】
2018202813.tif 000014
【図１３】
2018202813.tif 000015
【図１４】
2018202813.tif 000016
【図１５】
2018202813.tif 000017
【図１６】
2018202813.tif 000018